(57)【要約】【課題】施設の混雑状況の偏りの緩和に貢献可能なポイント付与システム、ポイント付与装置及びポイント付与方法を提供する。【解決手段】実施形態によれば、ポイント付与システムは、道路設備の混雑度を把握する道路事業者装置と、ポイント付与装置とを備える。前記道路事業者装置は、送信部を備える。送信部は、道路を走行する車両のユーザが利用する施設の混雑度を示す混雑情報を送信する。前記ポイント付与装置は、受信部と、ポイント処理部と、を備える。受信部は、前記混雑情報を受信する。ポイント処理部は、受信した前記混雑情報に基づき、前記混雑度に応じて付与するポイントの付与率を調整する。【選択図】図１
2017215792.tif 000002
【特許請求の範囲】
【請求項１】
道路設備の混雑度を把握する道路事業者装置と、ポイント付与装置とを備えるポイント付与システムであって、
前記道路事業者装置は、
道路を走行する車両のユーザが利用する施設の混雑度を示す混雑情報を送信する送信部を備え、
前記ポイント付与装置は、
前記混雑情報を受信する受信部と、
受信した前記混雑情報に基づき、前記混雑度に応じて付与するポイントの付与率を調整するポイント処理部と、
を備える、
ポイント付与システム。
【請求項２】
前記ポイント処理部は、前記混雑情報に第１の混雑度が含まれる場合に第１の価値の第１のポイントを付与することを決定し、前記混雑情報に前記第１の混雑度より高い第２の混雑度が含まれる場合に前記第１の価値より低い第２の価値の第２のポイントを付与することを決定する、
前記請求項１に記載のポイント付与システム。
【請求項３】
前記ポイント付与装置は、
前記混雑度に対応した付与率を示す付与率テーブルを格納する記憶部を備え、
前記ポイント処理部は、前記付与率テーブルを参照して、前記混雑度に対応する付与率を決定し、基礎ポイントに前記付与率を積算したポイントを付与することを決定する、
前記請求項１に記載のポイント付与システム。
【請求項４】
前記ポイントは、ユーザが前記施設に来場すると付与される来場ポイントである、
前記請求項１記載のポイント付与システム。
【請求項５】
前記ポイントは、ユーザが前記施設内にある店舗で商品を購入すると付与される店舗ポイントであり、
前記ポイント処理部は、前記商品の代金に対応した基礎ポイントに前記付与率を積算したポイントを付与することを決定する、
前記請求項１記載のポイント付与システム。
【請求項６】
前記付与率テーブルは、さらにポイントを付与する時期ごとに、前記施設の混雑度に対応した付与率を示し、
前記ポイント処理部は、ポイントを付与する時期に基づいて、付与率を決定する、
前記請求項３に記載のポイント付与システム。
【請求項７】
各施設の混雑度を示す混雑情報を受信する受信部と、
受信した前記混雑情報に基づき、前記混雑度に応じて付与するポイントの付与率を調整するポイント処理部と、
を備える、
ポイント付与装置。
【請求項８】
前記ポイント処理部は、前記混雑情報に第１の混雑度が含まれる場合に第１の価値の第１のポイントを付与することを決定し、前記混雑情報に前記第１の混雑度より高い第２の混雑度が含まれる場合に前記第１の価値より低い第２の価値の第２のポイントを付与することを決定する、
前記請求項７に記載のポイント付与装置。
【請求項９】
前記混雑度に対応した付与率を示す付与率テーブルを格納する記憶部を備え、
前記ポイント処理部は、前記付与率テーブルを参照して、前記混雑度に対応する付与率を決定し、基礎ポイントに前記付与率を積算したポイントを付与することを決定する、
前記請求項８記載のポイント付与装置。
【請求項１０】
前記ポイントは、ユーザが前記施設に来場すると付与される来場ポイントである、
前記請求項７に記載のポイント付与装置。
【請求項１１】
前記ポイントは、ユーザが前記施設内にある店舗で商品を購入すると付与される店舗ポイントであり、
前記ポイント処理部は、前記商品の代金に対応した基礎ポイントに前記付与率を積算したポイントを付与することを決定する、
前記請求項７に記載のポイント付与装置。
【請求項１２】
前記付与率テーブルは、さらにポイントを付与する時期ごとに、前記施設の混雑度に対応した付与率を示し、
前記ポイント処理部は、ポイントを付与する時期に基づいて、付与率を決定する、
前記請求項９に記載のポイント付与装置。
【請求項１３】
各施設の混雑度を示す混雑情報を受信し、
受信した前記混雑情報に基づいて、前記混雑度に応じて付与するポイントの付与率を調整することを決定する、
ポイント付与方法。
【請求項１４】
前記混雑情報に第１の混雑度が含まれる場合に第１の価値の第１のポイントを付与することを決定し、前記混雑情報に前記第１の混雑度より高い第２の混雑度が含まれる場合に前記第１の価値より低い第２の価値の第２のポイントを付与することを決定する、
前記請求項１３に記載のポイント付与方法。
【請求項１５】
前記混雑度に対応した付与率を示す付与率テーブルを参照して、前記混雑度に対応する付与率を決定し、基礎ポイントに前記付与率を積算したポイントを付与することを決定する、
前記請求項１３に記載のポイント付与方法。
【発明の詳細な説明】
【技術分野】
【０００１】
本発明の実施形態は、ポイント付与システム、ポイント付与装置及びポイント付与方法に関する。
【背景技術】
【０００２】
高速道路などの道路沿いにサービスエリア又はパーキングエリアなどの休憩施設が設置されることがある。サービスエリア又はパーキングエリアなどの休憩施設は、隣接する道路などを走行する車両によって利用される。休憩施設は、休憩施設ごとに多様なサービスを提供する。
【０００３】
それぞれ休憩施設のサービス内容又は規模などによって各休憩施設の混雑状況に偏りが生じることがある。
【先行技術文献】
【特許文献】
【０００４】
【特許文献１】特開２００５−２５５９４号公報
【特許文献２】特開２００３−２５６８９５号公報
【特許文献３】特開２００３−１７８３４３号公報
【発明の概要】
【発明が解決しようとする課題】
【０００５】
上記の課題を解決するために、施設の混雑状況の偏りの緩和に貢献可能なポイント付与システム、ポイント付与装置及びポイント付与方法を提供する。
【課題を解決するための手段】
【０００６】
実施形態によれば、ポイント付与システムは、道路設備の混雑度を把握する道路事業者装置と、ポイント付与装置とを備える。前記道路事業者装置は、送信部を備える。送信部は、道路を走行する車両のユーザが利用する施設の混雑度を示す混雑情報を送信する。前記ポイント付与装置は、受信部と、ポイント処理部と、を備える。受信部は、前記混雑情報を受信する。ポイント処理部は、受信した前記混雑情報に基づき、前記混雑度に応じて付与するポイントの付与率を調整する。
【図面の簡単な説明】
【０００７】
【図１】図１は、実施形態に係るポイント付与システムの構成例を示すブロック図である。
【図２】図２は、実施形態に係る道路事業者サーバの構成例を示すブロック図である。
【図３】図３は、実施形態に係る集計サーバの構成例を示すブロック図である。
【図４】図４は、実施形態に係る来場ポイント付与端末の構成例を示すブロック図である。
【図５】図５は、実施形態に係る付与率テーブルの例を示す図である。
【図６】図６は、実施形態に係るＰＯＳの構成例を示すブロック図である。
【図７】図７は、実施形態に係る店舗ポイント付与端末の構成例を示すブロック図である。
【図８】図８は、実施形態に係るポイント付与システムの動作例を示すシーケンス図である。
【図９】図９は、実施形態に係るポイント付与システムの動作例を示すシーケンス図である。
【図１０】図１０は、実施形態に係るポイント付与システムの動作例を示すシーケンス図である。
【図１１】図１１は、実施形態に係るポイント付与システムの動作例を示すシーケンス図である。
【発明を実施するための形態】
【０００８】
以下、実施形態について、図面を参照して説明する。  
現在、高速道路の混雑緩和を目的としてＥＴＣシステムの普及が進んでいるが、このＥＴＣシステム利用を促進するため、利用登録しているユーザに対してポイントを付与するポイント付与システムが実用化されている。
【０００９】
道路上に設けられた休憩施設は、道路を走行する車両のユーザによって利用される。実施形態に係るポイント付与システムは、サービスエリア又はパーキングエリアなどの休憩施設を利用するユーザ（利用登録されたユーザＩＤ）に対してポイントを付与するものである。
【００１０】
図１は、実施形態に係るポイント付与システム１の構成例を示すブロック図である。  
図１が示すように、ポイント付与システム１は、ユーザ端末１０、ポイント管理サーバ２０、道路事業者サーバ３０、集計サーバ４０、来場ポイント付与端末５０、店舗ポイント付与端末６０及びＰＯＳ端末７０などを備える。
【００１１】
ユーザ端末１０は、インターネットなどの通信網を介してポイント管理サーバ２０に接続する。また、ユーザ端末１０は、ユーザの操作に基づいて、ポイント管理サーバにポイントを照会する。ユーザ端末１０は、照会したポイントをユーザに提示する。たとえば、ユーザ端末１０は、デスクトップＰＣ、ノートＰＣ、タブレットＰＣ又はスマートフォンなどである。
【００１２】
ポイント管理サーバ２０は、ユーザに付与するポイントを管理する。ここでは、ポイント管理サーバ２０は、ＥＴＣシステムに利用登録したユーザのポイント（ユーザ又はカードの識別情報に対応付けられたポイント）を管理する。たとえば、ポイント管理サーバ２０は、ユーザごとのポイントを格納する。また、ポイント管理サーバ２０は、ユーザ端末１０からの照会に応じて、ユーザのポイントを示す情報をユーザ端末１０に送信する。ユーザ端末１０は、送信されたポイントを示す情報を出力する（例えば表示する）。
【００１３】
例えば、照会の方法としては、ＥＴＣシステムに利用登録したＥＴＣカードの識別情報をユーザ端末１０に入力させて（またはカードリーダ等で読み取らせて）、ＥＴＣカードＩＤに基づくポイントを照会する。
【００１４】
また、ポイント管理サーバ２０は、ＥＴＣシステムに利用登録しているユーザを示す登録情報を道路事業者サーバ３０に送信する。たとえば、ポイント管理サーバ２０は、インターネットなどの通信網を通じて登録情報を道路事業者サーバ３０に送信する。たとえば、登録情報は、利用登録しているユーザを示す識別情報（たとえば、ＩＤ）などを格納する。
【００１５】
また、ポイント管理サーバ２０は、所定の間隔で登録情報を道路事業者サーバ３０に送信する。たとえば、ポイント管理サーバ２０は、３０分おきに登録情報を道路事業者サーバ３０に送信する。
【００１６】
道路事業者サーバ３０（道路事業者装置）（外部装置）は、道路設備の混雑度を把握する。たとえば、道路事業者サーバ３０は、道路に沿って設置されたサービスエリア又はパーキングエリアなどの休憩施設の混雑状況（混雑度）を管理する。また、道路事業者サーバ３０は、道路の利用状況など道路事業に必要な業務を行うものであってもよい。道路事業者サーバ３０の構成例については、後に詳述する。
【００１７】
集計サーバ４０（外部装置）は、来場ポイント付与端末５０及び店舗ポイント付与端末６０によって付与されたポイントを一時的に集計する。集計サーバ４０の構成例については、後に詳述する。
【００１８】
来場ポイント付与端末５０（ポイント付与装置）は、ユーザに来場ポイントを付与する。来場ポイントは、ユーザが休憩施設に来場すると付与される。たとえば、来場ポイント付与端末５０は、ユーザが所持するＥＴＣカードなどが挿入されるとＥＴＣカードに対応付けられた識別情報に来場ポイントを付与する。来場ポイント付与端末５０の構成例については、後に詳述する。
【００１９】
来場ポイント付与端末５０は、たとえば、休憩施設内の所定の場所に設置される。たとえば、来場ポイント付与端末５０は、休憩施設のパーキングエリア内又は周辺に設置される。なお、来場ポイント付与端末５０は、休憩施設内に複数個設置されてもよい。
【００２０】
店舗ポイント付与端末６０（ポイント付与装置）は、ユーザに店舗ポイントを付与する。店舗ポイントは、ユーザが休憩施設内にある店舗で商品を購入すると付与される。たとえば、店舗ポイント付与端末６０は、ユーザが所持するＥＴＣカードなどが挿入されると、ＥＴＣカードの識別情報に対してユーザに店舗での代金などに応じた店舗ポイントを付与する。店舗ポイント付与端末６０の構成例については、後に詳述する。  
店舗ポイント付与端末６０は、たとえば、各店舗に設定される。店舗ポイント付与端末６０は、１つの店舗に複数個設置されてもよい。
【００２１】
ＰＯＳ端末７０は、各店舗で決済処理を行う。たとえば、ＰＯＳ端末７０は、ユーザが購入した商品又はサービスの代金を決済する。ＰＯＳ端末７０の構成例については、後に詳述する。  
ＰＯＳ端末７０は、たとえば、休憩施設の各店舗内に設置される。また、ＰＯＳ端末７０は、店舗内に複数個設定されてもよい。  
なお、ポイント付与システム１は、複数の休憩施設で付与されたポイントを管理するものであってもよい。即ち、ポイント付与システム１は、各休憩施設に設置される複数の集計サーバ４０を備えてもよい。  
また、ポイント付与システム１は、適宜必要な構成を追加し、又は、不要な構成を削除してもよい。
【００２２】
次に、道路事業者サーバ３０の構成例について説明する。  
図２は、道路事業者サーバ３０の構成例を示すブロック図である。  
図２が示すように、道路事業者サーバ３０は、登録情報受信部３１、登録情報格納部３２、登録情報送信部３３、混雑情報格納部３４、混雑情報送信部３５、ポイント付与情報受信部３６、ポイント付与情報格納部３７及びポイント付与情報送信部３８などを備える。
【００２３】
登録情報受信部３１は、ポイント管理サーバ２０から登録情報を受信する。たとえば、登録情報受信部３１は、所定の間隔でポイント管理サーバ２０から登録情報を受信する。たとえば、登録情報受信部３１は、３０分ごとに登録情報を受信する。
【００２４】
登録情報格納部３２は、登録情報受信部３１が受信した登録情報を格納する。登録情報格納部３２は、登録情報受信部３１が登録情報を受信するごとに、既存の登録情報に上書きして新しい登録情報を格納してもよい。また、登録情報受信部３１は、既存の登録情報に追加して新たな登録情報を格納してもよい。
【００２５】
登録情報送信部３３は、登録情報格納部３２が格納する登録情報を集計サーバ４０へ送信する。たとえば、登録情報送信部３３は、登録情報格納部３２が登録情報を格納したタイミングで登録情報を集計サーバ４０へ送信する。
【００２６】
混雑情報格納部３４は、休憩施設の混雑状況（混雑度）を示す混雑情報を格納する。混雑情報は、たとえば、休憩施設の駐車台数に対して休憩施設を利用する車両がどの程度あるかを示す。ここでは、混雑情報は、「空有」（第１の混雑度）、「混雑」（第２の混雑度）又は「満車」（第３の混雑度）のいずれかを示す。「空有」は、休憩施設の駐車スペースに十分な空き（たとえば、駐車スペースの利用率が８０％未満）があることを示す。「混雑」は、駐車スペースに空きが少ない（たとえば、駐車スペースの利用率が８０％〜９０％）ことを示す。「満車」は、駐車スペースがない（たとえば、駐車スペースの利用率が９０％以上）ことを示す。なお、混雑情報の構成は、特定の構成に限定されるものではない。
【００２７】
道路事業者サーバ３０は、休憩施設に設置されたカメラが撮影した画像などに基づいて、混雑状況を判定し混雑情報を生成してもよい。また、道路事業者サーバ３０は、他の装置から混雑情報を受信して混雑情報格納部３４に格納してもよい。
【００２８】
混雑情報送信部３５（送信部）は、混雑情報格納部３４が格納する混雑情報を集計サーバ４０へ送信する。たとえば、混雑情報送信部３５は、所定の間隔で混雑情報を集計サーバ４０へ送信する。たとえば、混雑情報送信部３５は、３０分ごとに混雑情報を送信する。
【００２９】
たとえば、混雑情報送信部３５は、混雑情報を要求するリクエストを集計サーバ４０から受信し、リクエストのレスポンスとして混雑情報を集計サーバ４０へ送信する。また、混雑情報送信部３５は、リクエストを受信することなく、所定の間隔で混雑情報を集計サーバ４０へ送信してもよい。
【００３０】
ポイント付与情報受信部３６は、集計サーバ４０からポイント付与情報を受信する。ポイント付与情報については後述する。  
ポイント付与情報格納部３７は、ポイント付与情報受信部３６が受信した、休憩施設ごとのポイント付与情報を格納する。  
ポイント付与情報送信部３８は、ポイント付与情報格納部３７が格納するポイント付与情報をポイント管理サーバ２０へ送信する。
【００３１】
なお、道路事業者サーバ３０は、適宜必要な構成を追加し、又は、不要な構成を削除してもよい。  
道路事業者サーバ３０は、たとえば、ＣＰＵ、メモリ及び通信部などから構成される。たとえば、道路事業者サーバ３０は、ＰＣなどである。たとえば、登録情報受信部３１、登録情報送信部３３、混雑情報送信部３５、ポイント付与情報受信部３６、及び、ポイント付与情報送信部３８は、ＣＰＵ、メモリ及び通信部などによって実現される。また、登録情報格納部３２、混雑情報格納部３４及びポイント付与情報格納部３７は、メモリなどによって実現される。
【００３２】
次に、集計サーバ４０の構成例について説明する。  
図３は、集計サーバ４０の構成例を示すブロック図である。  
図３が示すように、集計サーバ４０は、登録情報受信部４１、登録情報格納部４２、登録情報送信部４３、混雑情報受信部４４、混雑情報格納部４５、混雑情報送信部４６、ポイント付与情報受信部４７、ポイント付与情報格納部４８、及び、ポイント付与情報送信部４９などを備える。
【００３３】
登録情報受信部４１は、道路事業者サーバ３０から登録情報を受信する。たとえば、登録情報受信部３１は、３０分ごとに登録情報を受信する。  
登録情報格納部４２は、登録情報受信部４１が受信した登録情報を格納する。  
登録情報送信部４３は、登録情報格納部４２が格納する登録情報を来場ポイント付与端末５０及び店舗ポイント付与端末６０へ送信する。たとえば、登録情報送信部４３は、登録情報格納部４２が登録情報を格納したタイミングで登録情報を送信する。
【００３４】
混雑情報受信部４４は、道路事業者サーバ３０から混雑情報を受信する。たとえば、混雑情報受信部４４は、所定の間隔で道路事業者サーバ３０から混雑情報を受信する。たとえば、混雑情報受信部４４は、３０分ごとに混雑情報を受信する。即ち、混雑情報の有効期間は所定の間隔に対応する時間（たとえば３０分）である。
【００３５】
たとえば、混雑情報受信部４４は、混雑情報を要求するリクエストを道路事業者サーバ３０に送信する。混雑情報受信部４４は、リクエストに対するレスポンスとして混雑情報を道路事業者サーバ３０から受信する。
【００３６】
混雑情報格納部４５は、混雑情報受信部４４が受信した混雑情報を格納する。  
混雑情報送信部４６は、混雑情報格納部４５が格納する混雑情報を来場ポイント付与端末５０及び店舗ポイント付与端末６０へ送信する。たとえば、混雑情報送信部４６は、所定の間隔で混雑情報を来場ポイント付与端末５０及び店舗ポイント付与端末６０へ送信する。たとえば、混雑情報送信部４６は、３０分ごとに混雑情報を送信する。
【００３７】
ポイント付与情報受信部４７は、来場ポイント付与端末５０及び店舗ポイント付与端末６０からポイント付与情報を受信する。  
ポイント付与情報格納部４８は、ポイント付与情報受信部４７が受信したポイント付与情報を格納する。
【００３８】
ポイント付与情報送信部４９は、ポイント付与情報格納部４８が格納するポイント付与情報を道路事業者サーバ３０に送信する。ポイント付与情報送信部４９は、所定の間隔でポイント付与情報を道路事業者サーバ３０に送信する。たとえば、ポイント付与情報送信部４９は、日ごとにポイント付与情報を道路事業者サーバ３０に送信する。即ち、ポイント付与情報送信部４９は、ポイント付与情報格納部４８が一日に格納したポイント付与情報を道路事業者サーバ３０に送信する。
【００３９】
なお、集計サーバ４０は、適宜必要な構成を追加し、又は、不要な構成を削除してもよい。  
集計サーバ４０は、たとえば、ＣＰＵ、メモリ及び通信部などから構成される。たとえば、集計サーバ４０は、ＰＣなどである。たとえば、登録情報受信部４１、登録情報送信部４３、混雑情報受信部４４、混雑情報送信部４６、ポイント付与情報受信部４７、及び、ポイント付与情報送信部４９は、ＣＰＵ、メモリ及び通信部などによって実現される。また、登録情報格納部４２、混雑情報格納部４５及びポイント付与情報格納部４８は、メモリなどによって実現される。
【００４０】
次に、来場ポイント付与端末５０の構成例について説明する。  
図４は、来場ポイント付与端末５０の構成例を示すブロック図である。  
図４が示すように、来場ポイント付与端末５０は、混雑情報受信部５０１、混雑情報格納部５０２、登録情報受信部５０３、登録情報格納部５０４、カード読取部５０５、照合部５０６、来場回数カウンタ５０７、回数チェック部５０８、付与率テーブル格納部５０９、付与率決定部５１０（ポイント処理部）、ポイント決定部５１１（ポイント処理部）、ポイント付与情報送信部５１２及びポイント表示部５１３などを備える。
【００４１】
混雑情報受信部５０１（受信部）は、集計サーバ４０から混雑情報を受信する。即ち、混雑情報受信部５０１は、集計サーバ４０を介して道路事業者サーバ３０から混雑情報を受信する。
【００４２】
たとえば、混雑情報受信部５０１は、所定の間隔で集計サーバ４０から混雑情報を受信する。たとえば、混雑情報受信部５０１は、３０分ごとに混雑情報を受信する。即ち、混雑情報の有効期間は所定の間隔に対応する時間（たとえば３０分）である。
【００４３】
たとえば、混雑情報受信部５０１は、混雑情報を要求するリクエストを集計サーバ４０に送信する。混雑情報受信部５０１は、リクエストに対するレスポンスとして混雑情報を集計サーバ４０から受信する。  
混雑情報格納部５０２は、混雑情報受信部５０１が受信した混雑情報を格納する。
【００４４】
登録情報受信部５０３は、集計サーバ４０から登録情報を受信する。  
登録情報格納部５０４は、登録情報受信部５０３が受信した登録情報を格納する。
【００４５】
カード読取部５０５は、ユーザが所持するＥＴＣカードから所定の情報を取得する。ここでは、ＥＴＣカードは、ＥＴＣシステムに利用登録したユーザに発行されるものとする。ＥＴＣカードは、ＥＴＣシステムに登録したユーザを特定するため識別情報などを格納する。カード読取部５０５は、ＥＴＣカードから識別情報を取得する。
【００４６】
カード読取部５０５は、ＥＴＣカードの構成に応じた構成を有する。たとえば、ＥＴＣカードが接触型のＩＣカードである場合、カード読取部５０５は、接触してＩＣを読み取る構成を備える。なお、ＥＴＣカードの構成は、非接触型のＩＣカード又は磁気カードなどであってもよい。ＥＴＣカードの構成は、特定の構成に限定されるものではない。
【００４７】
照合部５０６は、ＥＴＣカードのユーザがＥＴＣシステムに利用登録しているかを判定する。即ち、照合部５０６は、登録情報格納部５０４が格納する登録情報にカード読取部５０５が読み取った識別情報が含まれるかを判定する。照合部５０６は、登録情報に識別情報が含まれると判断すると、ユーザがＥＴＣシステムに利用登録していると判定する。また、照合部５０６は、登録情報に識別情報が含まれないと判断すると、ユーザがＥＴＣシステムに利用登録していないと判定する。
【００４８】
来場回数カウンタ５０７は、来場ポイント付与端末５０が設置される休憩施設にユーザが来場した回数をカウントする。即ち、来場回数カウンタ５０７は、ＥＴＣカードを受け付けた回数をカウントする。来場回数カウンタ５０７は、所定の間隔でカウントをリセットする。たとえば、来場回数カウンタ５０７は、１日ごとにカウントをリセットする。ここでは、来場回数カウンタ５０７は、ＥＴＣシステムに利用登録しているユーザの来場回数をカウントするものとする。
【００４９】
回数チェック部５０８は、ユーザの来場が初回であるかを判定する。たとえば、回数チェック部５０８は、来場回数カウンタ５０７からユーザの来場回数を取得し、来場回数が「０」であるかを判定する。回数チェック部５０８は、来場回数が「０」であると判定した場合、ユーザの来場が初回であると判定する。
【００５０】
付与率テーブル格納部５０９（記憶部）は、付与率テーブルを格納する。付与率テーブルは、混雑状況に対応するポイント付与率を示す。ポイント付与率は、基礎ポイントに対して積算してユーザに付与されるポイントを計算するための値である。
【００５１】
図５は、付与率テーブルの構成例を示す図である。  
図５が示す例では、付与率テーブルは、時期（ここでは、通常期又は繁忙期）ごとにポイント付与率を示す。  
通常期は、休憩施設が比較的空いている時期である。繁忙期は、休憩施設が比較的混雑する時期である。たとえば、通常期及び繁忙期は、月又は曜日などによって設定される。たとえば、通常期は、１月から６月などであり、繁忙期は、７月から１２月などである。通常期及び繁忙期は、休憩施設の期間ごとの混雑状況などによって設定される。
【００５２】
図５が示すように、付与率テーブルは、休憩施設の混雑状況に対応したポイント付与率を示す。ここでは、付与率テーブルは、混雑度が高いほど付与するポイントの価値を下げるポイント付与率を示す。言い換えれば、付与率テーブルは、休憩施設が混雑するほど小さなポイント付与率を示す。
【００５３】
たとえば、付与率テーブルは、通常期において、「空有」に対するポイント付与率として「×３」を、「混雑」に対するポイント付与率として「×１．５」を、「満車」に対するポイント付与率として「×１」を示す。また、付与率テーブルは、繁忙期において、「空有」に対するポイント付与率として「×４」を、「混雑」に対するポイント付与率として「×１．３」を、「満車」に対するポイント付与率として「×０．８」を示す。
【００５４】
なお、付与率テーブルは、通常期及び繁忙期ごとにポイント付与率を示さなくてもよい。即ち、付与率テーブルは、通常期又は繁忙期に関わらずポイント付与率を示すものであってもよい。
【００５５】
また、付与率テーブルは、通常期及び繁忙期以外の時期について、休憩施設の混雑状況に応じたポイント付与率を示すものであってもよい。  
付与率テーブルの構成は、特定の構成に限定されるものではない。
【００５６】
付与率テーブルは、オペレータの操作などによって付与率テーブル格納部５０９に格納されてもよい。また、付与率テーブルは、オペレータの操作などによって更新されてもよい。  
また、付与率テーブル格納部５０９は、道路事業者サーバ３０などが送信する付与率テーブルを格納してもよい。付与率テーブルは、適宜、道路事業者サーバ３０などから送信される付与率テーブルに更新されてもよい。
【００５７】
付与率決定部５１０は、混雑情報格納部５０２が格納する混雑情報及び時期などに基づいてポイント計算に使用されるポイント付与率を決定する。即ち、付与率決定部５１０は、混雑情報に基づき、混雑情報が示す混雑度に応じて付与するポイントのポイント付与率を調整する。たとえば、付与率決定部５１０は、現在の日時などから、現在の日時が通常期又は繁忙期であるかを判定する。また、付与率決定部５１０は、混雑情報を取得する。付与率決定部５１０は、付与率テーブル格納部５０９が格納する付与率テーブルを参照して、判定された期間（通常期又は繁忙期）において、混雑情報が示す混雑状況に対応するポイント付与率を決定する。たとえば、現在の日時が「通常期」であり混雑情報が「空有」を示す場合、付与率決定部５１０は、「×３」をポイント付与率として決定する。
【００５８】
ポイント決定部５１１は、ユーザに付与する来場ポイントを決定する。ここでは、ポイント決定部５１１は、混雑情報の有効期間において、混雑情報に基づいて、混雑度が高いほど付与するポイントの価値を下げることを決定する。言い換えれば、休憩施設が混雑するほど小さな来場ポイントをユーザに付与する来場ポイントとして決定する。たとえば、混雑情報に「空有」を示す第１の混雑度が含まれる場合に第１の価値の第１のポイント（例えば３０００ポイント）を付与することを決定し、混雑情報に第１の混雑度より高い「混雑」を示す第２の混雑度が含まれる場合に第１の価値より低い第２の価値の第２のポイント（例えば１５００ポイント）を付与することを決定する。
【００５９】
たとえば、ポイント決定部５１１は、付与率決定部５１０が決定したポイント付与率に基づいてユーザに付与する来場ポイントを決定する。たとえば、ポイント決定部５１１は、来場者に付与する基礎ポイントを取得する。たとえば、ポイント決定部５１１は、来場者に付与する基礎ポイントを予め格納してもよい。また、ポイント決定部５１１は、道路事業者サーバ３０又は集計サーバ４０などから基礎ポイントを取得してもよい。
【００６０】
ポイント決定部５１１は、基礎ポイントに付与率決定部５１０が決定したポイント付与率を積算して、ユーザに付与する来場ポイントを決定する。たとえば、基礎ポイントが１０００ポイントでポイント付与率が「×３」である場合、ポイント決定部５１１は、ユーザに付与する来場ポイントを「３０００ポイント」と決定する。
【００６１】
来場ポイントは、道路の利用料の支払い休憩施設内の店舗での支払いなど所定のサービスと交換することができる。たとえば、来場ポイントは、ＥＴＣシステムが提供するマイレージポイントなどである。来場ポイントの構成は、特定の構成に限定されるものではない。
【００６２】
ポイント付与情報送信部５１２（ポイント付与情報送信処理部）は、ポイント決定部５１１が決定した来場ポイントを示すポイント付与情報を集計サーバ４０に送信する。即ち、ポイント付与情報送信部５１２は、集計サーバ４０を介して道路事業者サーバ３０にポイント付与情報を送信する。  
たとえば、ポイント付与情報は、ユーザを示す識別情報及び当該ユーザに付与する来場ポイントなどを示す。
【００６３】
ポイント表示部５１３は、ポイント決定部５１１が決定した来場ポイントをユーザに表示する。たとえば、ポイント表示部５１３は、来場ポイントを文字列又は数値列としてユーザに表示する。
【００６４】
なお、来場ポイント付与端末５０は、適宜必要な構成を追加し、又は、不要な構成を削除してもよい。  
来場ポイント付与端末５０は、たとえば、ＣＰＵ、メモリ、通信部、カードリーダ及び表示部などから構成される。カードリーダは、ＥＴＣカードとデータを送受信可能な装置である。表示部は、たとえば、液晶ディスプレイなどである。たとえば、混雑情報受信部５０１、登録情報受信部５０３、ポイント付与情報送信部５１２は、ＣＰＵ、メモリ及び通信部などによって実現される。また、照合部５０６、来場回数カウンタ５０７、回数チェック部５０８、付与率決定部５１０及びポイント決定部５１１は、ＣＰＵ及びメモリなどによって実現される。カード読取部５０５は、カードリーダなどによって実現される。混雑情報格納部５０２、登録情報格納部５０４及び付与率テーブル格納部５０９は、メモリなどから構成される。ポイント表示部５１３は、表示部などから構成される。
【００６５】
次に、ＰＯＳ端末７０の構成例について説明する。  
図６は、ＰＯＳ端末７０の構成例を示すブロック図である。  
図６が示すように、ＰＯＳ端末７０は、商品入力部７１、決済部７２及び決済情報送信部７３などを備える。
【００６６】
商品入力部７１は、ユーザが購入する商品を示す商品情報を取得する。たとえば、商品入力部７１は、商品情報として商品のバーコードなどを読み取る。
【００６７】
決済部７２は、商品入力部７１が取得した商品情報に基づいて商品の代金を決済する。たとえば、決済部７２は、ユーザから金銭を収受し、おつりなどを放出する構成であってもよい。また、決済部７２は、ユーザの所持するクレジットカードなどを用いて商品の代金を決済してもよい。
【００６８】
決済情報送信部７３は、決済部７２が決済した商品の代金を示す決済情報を店舗ポイント付与端末６０へ送信する。たとえば、決済情報は、代金を決済したユーザを示す識別情報及び商品の代金などを示す。たとえば、決済情報送信部７３は、決済部７２が代金を決済すると、決済情報を店舗ポイント付与端末６０へ送信する。なお、決済情報送信部７３は、店舗ポイント付与端末６０からのリクエストに応じて決済情報を店舗ポイント付与端末６０へ送信してもよい。
【００６９】
なお、ＰＯＳ端末は、適宜必要な構成を追加し、又は、不要な構成を削除してもよい。
【００７０】
次に、店舗ポイント付与端末６０の構成例について説明する。  
図７は、店舗ポイント付与端末６０の構成例を示すブロック図である。  
図７が示すように、店舗ポイント付与端末６０は、混雑情報受信部６０１、混雑情報格納部６０２、登録情報受信部６０３、登録情報格納部６０４、カード読取部６０５、照合部６０６、付与率テーブル格納部６０７、付与率決定部６０８、決済情報受信部６０９、決済情報格納部６１０、ポイント決定部６１１、ポイント付与情報送信部６１２、及び、ポイント表示部６１３などを備える。
【００７１】
混雑情報受信部６０１、混雑情報格納部６０２、登録情報受信部６０３、登録情報格納部６０４、カード読取部６０５、照合部６０６、付与率テーブル格納部６０７及び付与率決定部６０８は、混雑情報受信部５０１、混雑情報格納部５０２、登録情報受信部５０３、登録情報格納部５０４、カード読取部５０５、照合部５０６、付与率テーブル格納部５０９、付与率決定部５１０とそれぞれ同様であるため説明を省略する。
【００７２】
決済情報受信部６０９は、ＰＯＳ端末７０から決済情報を受信する。たとえば、決済情報受信部６０９は、決済部７２が決済を行う度に決済情報を受信する。なお、決済情報受信部６０９は、決済情報を要求するリクエストをＰＯＳ端末７０に送信してもよい。決済情報受信部６０９は、リクエストに対するレスポンスとして決済情報をＰＯＳ端末７０から受信してもよい。  
決済情報格納部６１０は、決済情報受信部６０９が受信した決済情報を格納する。
【００７３】
ポイント決定部６１１は、ユーザに付与する店舗ポイントを決定する。ここでは、ポイント決定部６１１は、混雑情報の有効期間において、混雑情報に基づいて、休憩施設が混雑するほど価値の低い来場ポイント（たとえば小さな店舗ポイント）をユーザに付与する店舗ポイントとして決定する。
【００７４】
ポイント決定部６１１は、付与率決定部６０８が決定したポイント付与率に基づいてユーザに付与する店舗ポイントを決定する。たとえば、ポイント決定部６１１は、決済情報格納部６１０が格納する決済情報を取得する。ポイント決定部６１１は、決済情報に基づいて、基礎ポイントを決定する。たとえば、ポイント決定部６１１は、決済情報が示す代金に対応したポイント（たとえば、１０００円で１ポイントなど）を基礎ポイントとして決定する。
【００７５】
ポイント決定部６１１は、基礎ポイントに付与率決定部６０８が決定したポイント付与率を積算して、ユーザに付与する店舗ポイントを決定する。たとえば、基礎ポイントが３００ポイントでポイント付与率が「×３」である場合、ポイント決定部５１１は、ユーザに付与する店舗ポイントを「９００ポイント」と決定する。
【００７６】
店舗ポイントは、道路の利用料の支払い休憩施設内の店舗での支払いなど所定のサービスを交換することができる。たとえば、店舗ポイントは、ＥＴＣシステムが提供するマイレージポイントなどである。店舗ポイントは、来場ポイントと同様であってもよいし、異なってもよい。店舗ポイントの構成は、特定の構成に限定されるものではない。
【００７７】
ポイント付与情報送信部１２は、ポイント決定部６１１が決定した店舗ポイントを示すポイント付与情報を集計サーバ４０に送信する。たとえば、ポイント付与情報は、ユーザを示す識別情報及び当該ユーザに付与する店舗ポイントなどを示す。
【００７８】
ポイント表示部６１３は、ポイント決定部６１１が決定した店舗ポイントをユーザに表示する。たとえば、ポイント表示部６１３は、店舗ポイントを文字列又は数値列としてユーザに表示する。
【００７９】
なお、店舗ポイント付与端末６０は、適宜必要な構成を追加し、又は、不要な構成を削除してもよい。  
店舗ポイント付与端末６０は、たとえば、ＣＰＵ、メモリ、通信部、カードリーダ及び表示部などから構成される。カードリーダは、ＥＴＣカードとデータを送受信可能な装置である。表示部は、たとえば、液晶ディスプレイなどである。たとえば、混雑情報受信部６０１、登録情報受信部６０３、決済情報受信部６０９、ポイント付与情報送信部６１２は、ＣＰＵ、メモリ及び通信部などによって実現される。また、混雑情報格納部６０２、登録情報格納部６０４、照合部６０６、付与率決定部６０８及びポイント決定部６１１は、ＣＰＵ及びメモリなどによって実現される。カード読取部６０５は、カードリーダなどによって実現される。混雑情報格納部６０２、登録情報格納部６０４、付与率テーブル格納部６０７及び決済情報格納部６１０は、メモリなどから構成される。ポイント表示部６１３は、表示部などから構成される。
【００８０】
次に、ポイント付与システム１の動作例について説明する。  
まず、ポイント付与システム１がユーザに来場ポイントを付与する動作例について説明する。  
図８及び図９は、ポイント付与システム１がユーザに来場ポイントを付与する動作例について説明するためのシーケンス図である。
【００８１】
ここでは、ユーザは、ＥＴＣカードを来場ポイント付与端末５０に挿入して来場ポイントの付与を受けるものとする。  
まず、ポイント管理サーバ２０は、登録情報を道路事業者サーバ３０へ送信する（Ｓ１１）。道路事業者サーバ３０の登録情報受信部３１は、登録情報を受信する。登録情報受信部３１が登録情報を受信すると、登録情報格納部３２は、登録情報を格納する。登録情報格納部３２が登録情報を格納すると、登録情報送信部３３は、登録情報を集計サーバ４０へ送信する（Ｓ１２）。
【００８２】
集計サーバ４０の登録情報受信部４１は、登録情報を受信する。登録情報受信部４１が登録情報を受信すると、登録情報格納部４２は、登録情報を格納する。登録情報格納部４２が登録情報を格納すると、登録情報送信部４３は、登録情報を来場ポイント付与端末５０へ送信する（Ｓ１３）。
【００８３】
来場ポイント付与端末５０の登録情報受信部５０３は、登録情報を受信する（Ｓ１４）。登録情報受信部５０３が登録情報を受信すると、登録情報格納部５０４は、登録情報を格納する（Ｓ１５）。
【００８４】
登録情報格納部５０４が登録情報を格納すると、道路事業者サーバ３０の混雑情報送信部３５は、混雑情報格納部３４が格納する混雑情報を集計サーバ４０へ送信する（Ｓ１６）。
【００８５】
集計サーバ４０の混雑情報受信部４４は、混雑情報を受信する。混雑情報受信部４４が混雑情報を受信すると、混雑情報格納部４５は、混雑情報を格納する。混雑情報格納部４５が登録情報を格納すると、混雑情報送信部４６は、混雑情報を来場ポイント付与端末５０へ送信する（Ｓ１７）。
【００８６】
来場ポイント付与端末５０の混雑情報受信部５０１は、混雑情報を受信する（Ｓ１８）。混雑情報受信部５０１が混雑情報を受信すると、混雑情報格納部５０２は、混雑情報を格納する（Ｓ１９）。
【００８７】
混雑情報格納部５０２が混雑情報を格納すると、来場ポイント付与端末５０は、ユーザからＥＴＣカードを受け付けるまで待機する。  
ユーザは、ＥＴＣカードを来場ポイント付与端末５０に挿入する（Ｓ２０）。ユーザがＥＴＣカードを来場ポイント付与端末５０に挿入すると、来場ポイント付与端末５０のカード読取部５０５は、ＥＴＣカードから識別情報を取得する。
【００８８】
カード読取部５０５が識別情報を取得すると、照合部５０６は、登録情報に識別情報が含まれるか判定する（Ｓ２１）。照合部５０６が登録情報に識別情報が含まれると判定すると（Ｓ２１、ＹＥＳ）、回数チェック部５０８は、来場回数カウンタ５０７を参照して、ユーザの来場が初回であるか判定する（Ｓ２２）。
【００８９】
回数チェック部５０８がユーザの来場が初回の来場であると判定すると（Ｓ２２、ＹＥＳ）、付与率決定部５１０は、付与率テーブル格納部５０９が格納する付与率テーブルを参照してポイント付与率を決定する（Ｓ２３）。
【００９０】
付与率決定部５１０がポイント付与率を決定すると、ポイント決定部５１１は、ポイント付与率に基づいて来場ポイントを決定する（Ｓ２４）。ポイント決定部５１１が来場ポイントを決定すると、ポイント付与情報送信部５１２は、来場ポイントを示すポイント付与情報を集計サーバ４０へ送信する（Ｓ２５）。
【００９１】
ポイント付与情報送信部５１２がポイント付与情報を送信すると、ポイント表示部５１３は、来場ポイントを表示する（Ｓ２６）。ポイント表示部５１３が来場ポイントを表示すると、来場ポイント付与端末５０は、ＥＴＣカードをユーザに返却する（Ｓ２７）。
【００９２】
照合部５０６が登録情報に識別情報が含まれないと判定した場合（Ｓ２１、ＮＯ）、又は、回数チェック部５０８がユーザの来場が初回の来場でないと判定した場合（Ｓ２２、ＮＯ）、店舗ポイント付与端末６０は、Ｓ２７に進む。
【００９３】
集計サーバ４０のポイント付与情報受信部４７は、来場ポイント付与端末５０からポイント付与情報を受信する（Ｓ２８）。ポイント付与情報受信部４７がポイント付与情報を受信すると、ポイント付与情報格納部４８は、ポイント付与情報を格納する（Ｓ２９）。ポイント付与情報格納部４８がポイント付与情報を格納すると、ポイント付与情報送信部４９は、所定の間隔でポイント付与情報を道路事業者サーバ３０へ送信する（Ｓ３０）。
【００９４】
道路事業者サーバ３０のポイント付与情報受信部３６は、集計サーバ４０からポイント付与情報を受信する（Ｓ３１）。ポイント付与情報受信部３６がポイント付与情報を受信すると、ポイント付与情報格納部３７は、ポイント付与情報を格納する（Ｓ３２）。ポイント付与情報格納部３７がポイント付与情報を格納すると、ポイント付与情報送信部３８は、ポイント付与情報をポイント管理サーバ２０へ送信する（Ｓ３３）。
【００９５】
ポイント管理サーバ２０は、道路事業者サーバ３０からポイント付与情報を受信する（Ｓ３４）。ポイント付与情報を受信すると、ポイント管理サーバ２０は、ポイント付与情報に基づいて、ユーザごとのポイント（来場ポイント及び店舗ポイント）を示すポイント情報を生成する（Ｓ３５）。
【００９６】
ポイント情報を生成すると、ポイント管理サーバ２０は、ポイント情報をユーザ端末１０へ送信する（Ｓ３６）。なお、ポイント管理サーバ２０は、ユーザ端末１０からのリクエストに対するレスポンスとしてポイント情報をユーザ端末１０へ送信してもよい。
【００９７】
ユーザ端末１０は、ポイント管理サーバ２０からポイント情報を受信する。ポイント情報を受信すると、ユーザ端末１０は、ポイント情報が示すポイントを表示する（Ｓ３７）。ユーザ端末１０がポイントを表示すると、ポイント付与システム１は、動作を終了する。
【００９８】
なお、Ｓ１６乃至Ｓ１９は、Ｓ１１乃至Ｓ１５より先に行われてもよい。また、Ｓ１６乃至Ｓ１９とＳ１１乃至Ｓ１５とは、同時並行で行われてもよい。また、Ｓ２６は、Ｓ２５よりも先に行われてもよい。また、Ｓ２５とＳ２６とは、同時並行で行われてもよい。
【００９９】
次に、ポイント付与システム１がユーザに店舗ポイントを付与する動作例について説明する。  
図１０及び図１１は、ポイント付与システム１がユーザに店舗ポイントを付与する動作例について説明するためのシーケンス図である。
【０１００】
ここでは、ユーザは、休憩施設内の店舗で商品を購入するものとする。また、店舗の店員は、ユーザのＥＴＣカードを店舗ポイント付与端末６０に挿入して店舗ポイントをユーザに付与するものとする。
【０１０１】
Ｓ１１乃至Ｓ２１とＳ２７乃至Ｓ３７とは、前述の通りであるため説明を省略する。  
店舗ポイント付与端末６０の混雑情報格納部６０２が混雑情報を格納すると（Ｓ１９）、ＰＯＳ端末７０の決済部７２は、商品入力部７１が読み取った商品情報に基づいて、商品の代金を決済する（Ｓ４１）。決済部７２が商品の代金を決済すると、決済情報送信部７３は、決済情報を店舗ポイント付与端末６０へ送信する（Ｓ４２）。
【０１０２】
店舗ポイント付与端末６０の決済情報受信部６０９は、決済情報を受信する（Ｓ４３）。決済情報受信部６０９が決済情報を受信すると、決済情報格納部６１０は、決済情報を格納する（Ｓ４４）。
【０１０３】
決済情報格納部６１０が決済情報を格納すると、付与率決定部６０８は、付与率テーブル格納部６０７が格納する付与率テーブルを参照してポイント付与率を決定する（Ｓ２３）。
【０１０４】
付与率決定部６０８がポイント付与率を決定すると、ポイント決定部６１１は、ポイント付与率及び決済情報に基づいて店舗ポイントを決定する（Ｓ４５）。ポイント決定部６１１が店舗ポイントを決定すると、ポイント付与情報送信部６１２は、店舗ポイントを示すポイント付与情報を集計サーバ４０へ送信する（Ｓ４６）。
【０１０５】
ポイント付与情報送信部６１２がポイント付与情報を送信すると、ポイント表示部６１３は、店舗ポイントを表示する（Ｓ４７）。ポイント表示部６１３が店舗ポイントを表示すると、店舗ポイント付与端末６０は、ＥＴＣカードをユーザに返却する（Ｓ２７）。
【０１０６】
なお、道路事業者サーバ３０は、集計サーバ４０を介さずに来場ポイント付与端末５０又は店舗ポイント付与端末６０へ混雑情報を送信してもよい。また、来場ポイント付与端末５０又は店舗ポイント付与端末６０は、集計サーバ４０又は道路事業者サーバ３０を介さずにポイント付与情報をポイント管理サーバ２０へ送信してもよい。  
また、来場ポイント付与端末５０又は店舗ポイント付与端末６０は、ＥＴＣカードにそれぞれ来場ポイント又は店舗ポイントを格納してもよい。
【０１０７】
ここで混雑情報について補足する。道路事業者サーバ３０は、各休憩施設の識別情報に対応付けて混雑情報を管理する。例えば、道路事業者サーバ３０は、第１の休憩施設の第１の識別情報に対応付けられた第１の混雑情報を、第１の休憩施設の第１の識別情報に対応付けて管理される集計サーバ４０へ送信する。これにより、第１の休憩施設の集計サーバ４０は、第１の休憩施設の第１の混雑情報を受信することができ、第１の休憩施設の来場ポイント付与端末５０及び店舗ポイント付与端末６０へ第１の休憩施設の第１の混雑情報を送信することができる。
【０１０８】
或いは、道路事業者サーバ３０は、各休憩施設の識別情報に対応付けて混雑情報を管理し、各休憩施設の識別情報に対応付けられた混雑情報を各集計サーバ４０へ送信するようにしてもよい。この場合、例えば、第１の休憩施設の各集計サーバ４０は、第１の休憩施設の第１の識別情報を保持し、各休憩施設の識別情報に対応付けられた混雑情報から、第１の識別情報に対応付けられた第１の混雑情報を取得し、第１の休憩施設の来場ポイント付与端末５０及び店舗ポイント付与端末６０へ第１の休憩施設の第１の混雑情報を送信することができる。
【０１０９】
また、道路事業者サーバ３０は、道路事業者のホームページ等で混雑情報及び混雑状況に応じたポイント付与に関する情報を公開するようにしてもよいし、道路上又は道路脇に設置された電子掲示板等で混雑情報及び混雑状況に応じたポイント付与に関する情報を案内するようにしてもよい。ユーザは、上記公開又は案内される混雑情報から各施設の混雑状況を知ることができ、またポイント付与に関する情報から混雑状況と合わせて利用施設を選択することができる。
【０１１０】
以上のように構成されたポイント付与システムは、休憩施設が混雑するほどポイントを計算するためのポイント付与率を小さくする。そのため、ポイント付与システムは、休憩施設が混雑するほど少ないポイントをユーザに付与し、休憩施設が空くほど大きなポイントをユーザに付与する。上記のように公開又は案内される情報を参照し、混雑している休憩施設の利用が避けられ、空いている休憩施設の利用が積極的になることが期待される。その結果、ポイント付与システムは、ユーザの休憩施設の利用を混雑時から非混雑時へ誘導することができる。従って、ポイント付与システムは、休憩施設の混雑状況の偏りの緩和に貢献することができる。
【０１１１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１２】
１…ポイント付与システム、２０…ポイント管理サーバ、３０…道路事業者サーバ、３５…混雑情報送信部、４０…集計サーバ、５０…来場ポイント付与端末、５０１…混雑情報受信部、５０２…混雑情報格納部、５０９…付与率テーブル格納部、５１０…付与率決定部、５１１…ポイント決定部、５１２…ポイント付与情報送信部、６０…店舗ポイント付与端末、６０１…混雑情報受信部、６０２…混雑情報格納部、６０７…付与率テーブル格納部、６０８…付与率決定部、６０９…決済情報受信部、６１０…決済情報格納部、６１１…ポイント決定部、６１２…ポイント付与情報送信部、７０…ＰＯＳ端末、７３…決済情報送信部。
【図１】
2017215792.tif 000003
【図２】
2017215792.tif 000004
【図３】
2017215792.tif 000005
【図４】
2017215792.tif 000006
【図５】
2017215792.tif 000007
【図６】
2017215792.tif 000008
【図７】
2017215792.tif 000009
【図８】
2017215792.tif 000010
【図９】
2017215792.tif 000011
【図１０】
2017215792.tif 000012
【図１１】
2017215792.tif 000013